(57)【要約】【課題】ＬＥＤ等の発光素子を含む発光ユニットを用い、競技場等の広大な場所で種々の巨大な画像現出を行えるようにする。【解決手段】３色のＬＥＤを含む発光ユニット３０をサンバイザーキャップ３４に組み合わせ、スタジアム等で観客に配布し、客席の位置によって定まる縦横の間隔でマトリクス状に着席してもらう。これら発光ユニット３０に対して、画像サーバ１からのデータを送信親機を介して送信し、これを受信した発光ユニット３０は、自分の位置ＩＤに合致していれば指定された色のＬＥＤを発光させ、合致していなければ隣り合う他の発光ユニット３０へ送信する。これをスタジアム等の全体、あるいは所定の区域に対して行い、観客をいわば表示素子の一つとして種々の巨大画像を現出可能とし、オリンピックのような世界的なイベントをこれまで以上に盛り上げ得る新規なビジュアルプランを提供可能とする。【選択図】図１０
2008242253.tif 000002
【特許請求の範囲】
【請求項１】
複数色の発光素子、該複数の発光素子へ電力を供給するための電源装置、前記複数の発光素子の発光状態を制御する制御装置、該制御装置への外部からの信号入力及び前記制御装置から外部への信号出力のための無線入出力装置、外部システムから識別させるためのユニークな識別子を記録しておくための識別子記録装置とからなる発光モジュールと、該発光モジュールを保持可能とするためのモジュール保持体からなる発光ユニット。
【請求項２】
前記制御装置による前記発光素子のオン、オフ、変色等の動作プログラムを記憶する記憶装置を有することを特徴とする請求項１の発光ユニット。
【請求項３】
前記発光素子を３個以上有し、これら発光素子を幾何学的な配置形態で備えてなることを特徴とする請求項１または２の発光ユニット。
【請求項４】
前記発光素子がＬＥＤであることを特徴とする請求項１から３のいずれかの発光ユニット。
【請求項５】
前記発光素子として３個のそれぞれ発光色の異なるＬＥＤを用いてなることを特徴とする請求項１から４のいずれかの発光ユニット。
【請求項６】
前記モジュール保持体が、人体や、人体が装着可能な被服、帽子、その他装置または人体が保持可能なペンやライト等の部材や装置等の被取り付け体へ着脱可能とするための取り付け装置または取り付け部材を備えることを特徴とする請求項１から５のいずれかの発光ユニット。
【請求項７】
前記識別子が、位置を示すデータであることを特徴とする請求項１から６のいずれかの発光ユニット。
【請求項８】
前記制御装置が、前記外部からの信号に含まれる画像識別用のデータを識別可能であることを特徴とする請求項１から７のいずれかの発光ユニット。
【請求項９】
請求項１から８のいずれかの発光ユニットを所要の環境で用いて所望の画像を現出させる画像現出方法であって、
請求項１から８のいずれかの発光ユニットを複数個前記環境下で所望の配置形態に配置し、
外部から少なくとも一つの前記発光ユニットの前記ユニークな識別子を判別し、
該判別した識別子に応じて前記現出させるべき画像のデータの少なくとも一部のデータに対応する信号を前記識別子を判別された発光モジュールの無線入出力装置に対して出力し、
前記複数色の発光素子の少なくとも一つを発光させ、
必要に応じて前記複数の発光ユニットのうちの所要の発光ユニットを所要の発光色で発光させることを特徴とする画像現出方法。
【請求項１０】
請求項１から８のいずれかの発光ユニットを所要の環境で用いて所望の画像を現出させる画像現出方法であって、
請求項１から８のいずれかの発光ユニットを複数個前記環境下で所望の配置形態に配置し、
外部から少なくとも一つの前記発光ユニットの前記ユニークな識別子を判別し、
前記現出させるべき画像のデータの少なくとも一部のデータに対応する信号を前記識別子を判別された発光モジュールの無線入出力装置に対して出力し、
該信号の入力を受けた前記識別子を判別された発光ユニットは、前記制御装置が、受信した信号が自己を発光させるための信号であると判断したときに発光し、受信した信号が自己を発光させるための信号でないと判断したときは発光せずに、該受信した信号を前記無線入出力装置により他の発光ユニットへ伝播し、
必要に応じて前記複数の発光ユニットのうちの所要の発光ユニットを所要の発光色で発光させることを特徴とする画像現出方法。
【請求項１１】
請求項１から８のいずれかの発光ユニットを所要の環境で用いて所望の画像を現出させる画像現出方法であって、
請求項１から８のいずれかの発光ユニットを複数個前記環境下で所望の配置形態に配置し、
前記現出させるべき画像のデータを、前記複数の発光ユニットの前記ユニークな識別子を利用してから予め定めた順序や経路に従って外部送信し、
該信号の入力を受けた前記識別子を判別された発光ユニットは、前記制御装置が、受信した信号が自己を発光させるための信号であると判断したときに発光し、受信した信号が自己を発光させるための信号でないと判断したときは発光せず、
必要に応じて前記複数の発光ユニットのうちの所要の発光ユニットを所要の発光色で発光させることを特徴とする画像現出方法。
【請求項１２】
請求項１から８のいずれかの発光ユニットを所要の環境で用いて所望の画像を現出させる画像現出方法であって、
請求項１から８のいずれかの発光ユニットを複数個前記環境下で所望の配置形態に配置し、
前記現出させるべき画像のデータを、前記複数の発光ユニットの前記ユニークな識別子を利用して外部から各発光ユニットに対して直接に送信し、
該信号の入力を受けた前記識別子を判別された発光ユニットは、前記制御装置が、受信した信号が自己を発光させるための信号であると判断したときに発光し、受信した信号が自己を発光させるための信号でないと判断したときは発光せず、
必要に応じて前記複数の発光ユニットのうちの所要の発光ユニットを所要の発光色で発光させることを特徴とする画像現出方法。
【請求項１３】
請求項９から１２のいずれかの画像現出方法であって、
請求項１から８のいずれかの発光ユニットを複数個、建造物の床、壁面、頂面、あるいは地面等の上に配置することを特徴とする画像現出方法。
【請求項１４】
請求項９から１２のいずれかの画像現出方法であって、
請求項１から８のいずれかの発光ユニットを装着または保持した人体や物体を複数、建造物の床、地面等の上に配置することを特徴とする画像現出方法。
【請求項１５】
請求項９から１４のいずれかの画像現出方法であって、
請求項１から８のいずれかの発光ユニットを幾何学的形態で少なくとも一つの領域内に配置することを特徴とする画像現出方法。
【請求項１６】
請求項１５の画像現出方法であって、
前記発光ユニットの幾何学的形態がマトリクス状であることを特徴とする画像現出方法。
【請求項１７】
請求項１５または１６の画像現出方法であって、
前記領域を複数配置することを特徴とする画像現出方法。
【請求項１８】
請求項１７の画像現出方法であって、
前記複数配置する領域を少なくとも他の一つの領域と隣接させることを特徴とする画像現出方法。
【請求項１９】
請求項１７の画像現出方法であって、
前記複数配置する領域を他のいずれの領域とも隣接させないことを特徴とする画像現出方法。
【請求項２０】
請求項９から１９のいずれかの画像現出方法を実行するための画像現出サーバシステムであって、少なくとも一つの画像サーバと、前記現出させるべき画像のデータを前記発光ユニットの少なくともいずれか一つに対して送信する送信機とを含むことを特徴とする画像現出サーバシステム。
【請求項２１】
請求項２０の画像現出サーバシステムにおいて、前記現出させるべき画像のデータが、該画像のユニークな識別子、発光させるべき前記発光ユニットを示す位置識別子、及び現出させるべき画像のピクセルデータからなることを特徴とする画像現出サーバシステム。
【請求項２２】
請求項１から８のいずれかの発光ユニットを備えたことを特徴とする可動体。
【請求項２３】
請求項９から１２のいずれかの画像現出方法であって、請求項２２の可動体を用いることを特徴とする画像現出方法。
【請求項２４】
請求項２０または２１の画像現出サーバシステムであって、請求項２２の可動体を用いることを特徴とする画像現出サーバシステム。
【発明の詳細な説明】
【技術分野】
【０００１】
本発明は、固定型大型映像画面の概念を打ち破った全く新しいビジュアルメディア、すなわち画像の現出を大型スクリーンなどを使わずに可能とする画像現出方法と、これに用いる発光ユニット、画像現出サーバシステム、可動体に関する。
【背景技術】
【０００２】
画像表示面積が小さいものでは携帯電話が備える小さな液晶画面の映像、大きなものでは陸上競技場やフットボール競技場等の大型画面へとビジュアルメディアの技術革新はますます進化を早めている。そのような環境下でのビジュアルコミュニケーションに必要なものは、観る人々も参加することで生まれる一体感の共有だと考えられる。すなわち日々進化する技術革新にあっても、観る人々を置き去りにするような技術の進化であってはならないといえるのである。
【０００３】
そのようなビジュアルコミュニケーションで生まれる一体感の共有には、例えばオリンピック・メインスタジアムの開会式等において使用される大型画面でも、従来のような表示装置を用いた固定型のものでは大きさに限りがあり、不向きであると言わざるを得なかった。
【０００４】
そして、スタジアムのような広い場所全体あるいはその一部ででも大きなサイズの画像を現出させようとするには、例えば色付きボードなどを観客に渡し、予め定めた所望の行動パターンでもって行動してもらうといった、時には訓練が必要で面倒で、しかもある意味では原始的な行動を観客に強いることが必要であり、現在のところ、本願発明者が知るところでは、これに代わる方法、装置は存在していない。
【特許文献１】特開２００３−３１６２９７号公報
【発明の開示】
【発明が解決しようとする課題】
【０００５】
そこで本発明は、観客の一人一人が発光素子となって光り輝き、スタジアム等の広い場所全体あるいは一部を画面化できる装置、方法、システムを提供することを目的とする。
【課題を解決するための手段】
【０００６】
本発明の請求項１に係る発光ユニットは、上記目的を達成するために、複数色の発光素子、該複数の発光素子へ電力を供給するための電源装置、前記複数の発光素子の発光状態を制御する制御装置、該制御装置への外部からの信号入力及び前記制御装置から外部への信号出力のための無線入出力装置、外部システムから識別させるためのユニークな識別子を記録しておくための識別子記録装置とからなる発光モジュールと、該発光モジュールを保持可能とするためのモジュール保持体からなる。
【０００７】
本発明の請求項２に係る発光ユニットは、上記目的を達成するために、請求項１の発光ユニットにおいて、前記制御装置による前記発光素子のオン、オフ、変色等の動作プログラムを記憶する記憶装置を有することを特徴とする。
【０００８】
本発明の請求項３に係る発光ユニットは、上記目的を達成するために、請求項１または２の発光ユニットにおいて、前記発光素子を３個以上有し、これら発光素子を幾何学的な配置形態で備えてなることを特徴とする。
【０００９】
本発明の請求項４に係る発光ユニットは、上記目的を達成するために、請求項１から３のいずれかの発光ユニットにおいて、前記発光素子がＬＥＤであることを特徴とする。
【００１０】
本発明の請求項５に係る発光ユニットは、上記目的を達成するために、請求項１から４のいずれかの発光ユニットにおいて、前記発光素子として３個のそれぞれ発光色の異なるＬＥＤを用いてなることを特徴とする。
【００１１】
本発明の請求項６に係る発光ユニットは、上記目的を達成するために、請求項１から５のいずれかの発光ユニットにおいて、前記モジュール保持体が、人体や、人体が装着可能な被服、帽子、その他装置または人体が保持可能なペンやライト等の部材や装置等の被取り付け体へ着脱可能とするための取り付け装置または取り付け部材を備えることを特徴とする。
【００１２】
本発明の請求項７に係る発光ユニットは、上記目的を達成するために、請求項１から６のいずれかの発光ユニットにおいて、前記識別子が、位置を示すデータであることを特徴とする。
【００１３】
本発明の請求項８に係る発光ユニットは、上記目的を達成するために、請求項１から７のいずれかの発光ユニットにおいて、前記制御装置が、前記外部からの信号に含まれる画像識別用のデータを識別可能であることを特徴とする。
【００１４】
本発明の請求項９に係る画像現出方法は、上記目的を達成するために、請求項１から８のいずれかの発光ユニットを所要の環境で用いて所望の画像を現出させる画像現出方法であって、請求項１から８のいずれかの発光ユニットを複数個前記環境下で所望の配置形態に配置し、外部から少なくとも一つの前記発光ユニットの前記ユニークな識別子を判別し、該判別した識別子に応じて前記現出させるべき画像のデータの少なくとも一部のデータに対応する信号を前記識別子を判別された発光モジュールの無線入出力装置に対して出力し、前記複数色の発光素子の少なくとも一つを発光させ、必要に応じて前記複数の発光ユニットのうちの所要の発光ユニットを所要の発光色で発光させることを特徴とする。
【００１５】
本発明の請求項１０に係る画像現出方法は、上記目的を達成するために、請求項１から８のいずれかの発光ユニットを所要の環境で用いて所望の画像を現出させる画像現出方法であって、請求項１から８のいずれかの発光ユニットを複数個前記環境下で所望の配置形態に配置し、外部から少なくとも一つの前記発光ユニットの前記ユニークな識別子を判別し、前記現出させるべき画像のデータの少なくとも一部のデータに対応する信号を前記識別子を判別された発光モジュールの無線入出力装置に対して出力し、該信号の入力を受けた前記識別子を判別された発光ユニットは、前記制御装置が、受信した信号が自己を発光させるための信号であると判断したときに発光し、受信した信号が自己を発光させるための信号でないと判断したときは発光せずに、該受信した信号を前記無線入出力装置により他の発光ユニットへ伝播し、必要に応じて前記複数の発光ユニットのうちの所要の発光ユニットを所要の発光色で発光させることを特徴とする。
【００１６】
本発明の請求項１１に係る画像現出方法は、上記目的を達成するために、請求項１から８のいずれかの発光ユニットを所要の環境で用いて所望の画像を現出させる画像現出方法であって、請求項１から８のいずれかの発光ユニットを複数個前記環境下で所望の配置形態に配置し、前記現出させるべき画像のデータを、前記複数の発光ユニットの前記ユニークな識別子を利用してから予め定めた順序や経路に従って外部送信し、該信号の入力を受けた前記識別子を判別された発光ユニットは、前記制御装置が、受信した信号が自己を発光させるための信号であると判断したときに発光し、受信した信号が自己を発光させるための信号でないと判断したときは発光せず、必要に応じて前記複数の発光ユニットのうちの所要の発光ユニットを所要の発光色で発光させることを特徴とする。
【００１７】
本発明の請求項１２に係る画像現出方法は、上記目的を達成するために、請求項１から８のいずれかの発光ユニットを所要の環境で用いて所望の画像を現出させる画像現出方法であって、請求項１から８のいずれかの発光ユニットを複数個前記環境下で所望の配置形態に配置し、前記現出させるべき画像のデータを、前記複数の発光ユニットの前記ユニークな識別子を利用して外部から各発光ユニットに対して直接に送信し、該信号の入力を受けた前記識別子を判別された発光ユニットは、前記制御装置が、受信した信号が自己を発光させるための信号であると判断したときに発光し、受信した信号が自己を発光させるための信号でないと判断したときは発光せず、必要に応じて前記複数の発光ユニットのうちの所要の発光ユニットを所要の発光色で発光させることを特徴とする。
【００１８】
本発明の請求項１３に係る画像現出方法は、上記目的を達成するために、請求項９から１２のいずれかの画像現出方法であって、請求項１から８のいずれかの発光ユニットを複数個、建造物の床、壁面、頂面、あるいは地面等の上に配置することを特徴とする。
【００１９】
本発明の請求項１４に係る画像現出方法は、上記目的を達成するために、請求項９から１２のいずれかの画像現出方法であって、請求項１から８のいずれかの発光ユニットを装着または保持した人体や物体を複数、建造物の床、地面等の上に配置することを特徴とする。
【００２０】
本発明の請求項１５に係る画像現出方法は、上記目的を達成するために、請求項９から１４のいずれかの画像現出方法であって、請求項１から８のいずれかの発光ユニットを幾何学的形態で少なくとも一つの領域内に配置することを特徴とする。
【００２１】
本発明の請求項１６に係る画像現出方法は、上記目的を達成するために、請求項１５の画像現出方法であって、前記発光ユニットの幾何学的形態がマトリクス状であることを特徴とする。
【００２２】
本発明の請求項１７に係る画像現出方法は、上記目的を達成するために、請求項１５または１６の画像現出方法であって、前記領域を複数配置することを特徴とする。
【００２３】
本発明の請求項１８に係る画像現出方法は、上記目的を達成するために、請求項１７の画像現出方法であって、前記複数配置する領域を少なくとも他の一つの領域と隣接させることを特徴とする。
【００２４】
本発明の請求項１９に係る画像現出方法は、上記目的を達成するために、請求項１７の画像現出方法であって、前記複数配置する領域を他のいずれの領域とも隣接させないことを特徴とする。
【００２５】
本発明の請求項２０に係る画像現出サーバシステムは、上記目的を達成するために、請求項９から１９のいずれかの画像現出方法を実行するための画像現出サーバシステムであって、少なくとも一つの画像サーバと、前記現出させるべき画像のデータを前記発光ユニットの少なくともいずれか一つに対して送信する送信機とを含むことを特徴とする。
【００２６】
本発明の請求項２１に係る画像現出サーバシステムは、上記目的を達成するために、請求項２０の画像現出サーバシステムにおいて、前記現出させるべき画像のデータが、該画像のユニークな識別子、発光させるべき前記発光ユニットを示す位置識別子、及び現出させるべき画像のピクセルデータからなることを特徴とする。
【００２７】
本発明の請求項２２に係る可動体は、請求項１から８のいずれかの発光ユニットを備えたことを特徴とする。
【００２８】
本発明の請求項２３に係る画像現出方法は、請求項９から１２のいずれかの画像現出方法であって、請求項２３の可動体を用いることを特徴とする。
【００２９】
本発明の請求項２４に係る画像現出サーバシステムは、請求項２０または２１の画像現出サーバシステムであって、請求項２３の可動体を用いることを特徴とする。
【発明の効果】
【００３０】
本発明は、大規模スタジアム等の広い場所で観客を利用する等して巨大な画像を種々の形態で出現させることを可能とする。
【発明を実施するための最良の形態】
【００３１】
以下本発明を実施するための最良の形態を説明する。
本発明は、例えばオリンピックの開会式や閉会式会場に使用されるような大規模のスタジアムに入場した観客を、いわば表示素子の一つとして種々の画像を現出させ、オリンピックのような世界的なイベントをこれまで以上に盛り上げ、開・閉会式に集まった全観客が参加してメッセージを発信することが可能な新規なビジュアルプランをも可能とするものである。
【００３２】
すなわち、これまでの映像概念を根底から覆した革命的な放映システムを提供しようとすることも可能なものであり、世界が注目するような国際的なスポーツイベント等から新しいビジュアルメディアとして全世界に衝撃的な驚きを発信できるように、従来の固定型大型映像画面の概念を打ち破った全く新しい世界最大の画面を現出させることを可能とするものである。画面の大きさは、例えば観客席の面積と同じとすることができ、それによって世界最大の画面を構成可能とする。
【００３３】
またワイヤレスによる通信を用いることでフレシキブルな画像表示を可能とするものでもある。例えばオリンピックのメインスタジアムの開会式に１１万人の観客が集まったとすれば、その一人一人がいわば表示素子として参加することでスタジアム全体を画面化してしまい得る。そのためには、例えば１１万人の観客全てにサンバイザーキャップ等を配布し、これに本発明の発光ユニットを取り付けておけばよい。すなわち、例えばサンバイザーキャップ前面の額部分に、電源（電池）、受送信装置、高輝度ＬＥＤ発光素子等からなるユニットを取り付け、制御センタ側から発光状態を制御する。そうすれば、まさに観客一人一人が発光素子となって光り輝き、スタジアム全体を画面にしてしまえる。
【００３４】
このような例は、観客が参加することで、これまでのような設備・装置にかかわる環境条件が大きく変化し、イベント規模が大きければ大きいほど従来方式とは反比例するようにハード関連の構築システムが容易になり、いわば、どこでも放映できるシステムを構成できる。
【００３５】
図１に、上述のような本発明のシステム構成例を示す。図中１は画像サーバ、２、２・・・は送信親機、３・・・は表示子機である。表示子機３の台数は、システム構成による。そして、すべての表示子機にはユニークなポジションＩＤを割り振り、送信親機２からポジションＩＤに対応するＲＢＧデータを無線送信することで、画像表示を実現するものである。なお画像サーバ１、送信親機２、表示子機３の台数、個数は、システム構成により決めるものであって、本発明が図示の実施例の台数、個数のものに限定されることはない。
【００３６】
図２は、画像データのインタフェース、すなわち画像データを持つ画像サーバから送信親機へのデータの引渡し方法の構成例を示す図である。画像データのインタフェース方式としては、例えば
（１）ビットマップファイルを用い、メモリカード、ＬＡＮ、シリアル通信等によって画像データファイルの引き渡しを行う方式、
（２）アナログ映像信号を用い、標準的なコンポジット信号、ＲＧＢ信号等によってアナログ映像信号で引き渡す方式、
（３）デジタル映像信号を用い、ＰＣ等で採用されているＤＶＩ、フラットディスプレイで採用されつつあるＨＤＭＩ信号等によるデジタル映像信号で引き渡す方式、
（４）ビデオメモリとして、画像サーバ１からは書き込み、送信親機２からは読み出しが可能な共有メモリによる共有ビデオメモリを用いた画像データの引き渡し方式
がある。なお以下では、ＬＡＮによる画像データの引渡し方式を採用した例を説明するが、本発明はこれに限定されず、上述の各種方式のほか、同一あるいは類似するデータの引き渡しを行える方式を種々採用できる。
【００３７】
図３は、一つの送信親機２から複数の表示子機３への送信データの構成内容例を示す図である。送信親機２から、表示子機３へ無線送信する表示のための送信データとしては、
送信データとしては以下が考えられる。
（１）画像ＩＤ：どの画像のデータかを示すＩＤ
（２）ポジションＩＤ：どの位置のデータかを示すＩＤ
（３）ピクセルデータ：表示されるＲＧＢのデータ（例えば、全体で８ビットのＧＩＦデータから、１色８ビットで３色２４ビット（１６７０万色２４ビットカラー）程度までを検討範囲にできる）
【００３８】
図３（Ｂ）のように、１データ６バイトの以下の構成とすると、
（１）画像ＩＤ：８ビット
（２）ポジションＩＤ：８＋８ビット
（３）ピクセルデータ（Ｒ、Ｇ、Ｂ）：８＋８＋８ビット
とし得る。
【００３９】
画像データの転送方式としては、短距離無線の簡易なデータ通信によるピクセルデータの配信方式が好ましい。配信方式として以下が考えられる。
（１）リレー方式：それぞれの表示子機３が、受信したデータが自分のもので無い場合、そのデータを再送信することで、すべての子機に伝播させていく方式（ただしこの方式の場合、自分のデータや同じデータは再送信しない。この場合、すべての表示子機３の無線アドレスは同一とする。）
（２）シフト方式：それぞれの表示子機３の無線アドレスにより、あらかじめ配信ルートを決めておき、そのルートに従ってそれぞれのピクセルデータを配信していく方式
（３）放送方式：表示子機３間での通信ではなく、送信親機２からの通信可能距離内の表示子機２に、送信親機３から繰り返し表示データを配信する方式
なお以下ではリレー方式を採用した例を説明するが、本発明はこれに限定されず、上述の各種方式のほか、同一あるいは類似するデータの転送方式を種々採用できる。
【００４０】
また、表示子機３の動作については、リレー方式での基本的な動作条件は以下のようにし得る。ただし前提条件として、すべての表示子機３は同じ無線アドレスを持ち、それぞれの識別のためには、ポジションＩＤを利用するものとする。
（１）ポジションＩＤで自分宛かどうかを判断し、自分宛のデータは、表示処理を行い、転送を行わない
（２）自分宛以外のデータは、キャリアセンスを行いながら、転送を行う
（３）画像ＩＤにより、同じデータかどうかを判断し、同じ場合は再転送は行わない
【００４１】
図４は発光モジュールである表示子機３の構成例を示す図である。表示子機３は、短距離無線でデータの送受信を行え、３色のカラーＬＥＤでＧＩＦ以上の表示が可能であり、かつバッテリで動作するものであることが望ましい。図中１１は無線ＩＣ、１２は制御ＣＰＵ、１３はＬＥＤドライバ回路、１４は３色ＬＥＤ、１５は電源回路、１６はバッテリ（例えば単４乾電池やボタン電池）、１７は振動子である。電池寿命と転送速度を考慮すると、１６ＭＨｚ（又は２０ＭＨｚ）のものがこの例の場合には好ましい。
【００４２】
図５は送信親機２の構成例を示す図である。送信親機２は、例えば、短距離無線でデータの送信を行え、ＬＡＮ経由で画像データを取得でき、ＧＩＦ等の画像データから、各表示子機３へのピクセルデータを生成できるものが好ましい。図中２１は無線ＩＣ、２２は制御ＣＰＵ、２３は電源回路（ＡＣアダプタ）、２４は外部メモリ、２５はデバッグコンソール、２６はＬＡＮ端子であり、ＯＳとしては例えばＬｉｎｕｘ他種々のものが採用可能である。
【００４３】
なお図示は省略するが、本発明の発光ユニットを走行や歩行等により移動可能なロボットに備えるように構成し、例えば分散型コンピュータの相互認識による共同作業的な画像検出システムを作り、さらに自由な画像現出を実現することも可能である。
【実施例】
【００４４】
図６は、発光モジュールである表示子機３と、それを保持可能とするためのモジュール保持体である折り曲げプレート状のフック２７とからなる発光ユニット３０の一実施例を示す図、図７はその発光状態を示す斜視図である。
【００４５】
発光モジュールである表示子機３は、例えばアクリル製で略六角錐体状のカバー３１と、カバー３１内に収納する基板３２と、基板３２上に設けた３個の高輝度ＬＥＤ発光素子（以下、単にＬＥＤという）３３ａ〜３３ｃから構成し、例えば赤、緑、青の光の三原色を発光するものとする。例えばＬＥＤ３３ａは赤、ＬＥＤ３３ｂは緑、ＬＥＤ３３ｃは青とする。そして基板３２の背面側には、基板３２とカバー３１を取り付ける部材も兼ねる部材として、図示のように折り返し状に折り曲げたプレート状のフック２７を配置する。
【００４６】
このように構成した表示子機３を、例えば図１に示したようなシステムの画像サーバ１や送信親機２などからなるシステムにより、発光状態（オン、オフ、発光色等々）を制御する。
【００４７】
図８は、図６に示した発光ユニット３０を、フック２７を利用してサンバイザーキャップ３４に組み合わせた構成例を示す図である。図示のように、観客３５がサンバイザーキャップ３４を装着した状態で発光等の制御動作を行わせる。
【００４８】
図９は、図８のように発光ユニット３０をサンバイザーキャップ３４に組み合わせた構成例の側面図（Ａ）、正面図（Ｂ）、平面図（Ｃ）である。この例の場合、サンバイザーキャップ３４の正面側に表示子機３が位置するように組み合わせてあるが、もちろん側面や背面側に来るように組み合わせることも可能であり、組み合わせる表示子機３の個数も１個だけでなく、複数個組み合わせるようにすることも可能である。
【００４９】
そして、例えばスタジアム等では観客は自然と図１０（Ａ）に示すように席の位置によって定まる縦横の間隔（一般的なスタジアムでは横が６０ｃｍ、縦が４０ｃｍ程度になる）でマトリクス状に着席する（図ではサンバイザーキャップ３４と表示子機３のみ示してある）ことになり、図１０（Ｂ）のようなスタジアム４０で対向する席側から視認可能な発光を行えば、既に述べたように、超巨大スクリーンとしての表示が可能になる。なお一般にスタジアムは図示のように略楕円形であるので、表示素子３が備えるＬＥＤの発光の視認距離は最長軸（図示のスタジアムでは横方向の矢印の長さ程度）とすることが望ましいのは勿論であり、現在市販されているＬＥＤでも十分可能であることはいうまでもない。
【００５０】
図１１は、スタジアム４０の正面スタンド側からバックスタンド側を見たオリンピック開会式等の巨大表示の概要を示す図、図１２は、メインスタンドとサイドスタンドとの間付近から見たバックスタンドの巨大表示の概要を示す図である。これらの図において、４１は従来用いられている固定型大型映像画面を有する大型スクリーンである。本発明の実施例によって現出させ得る画像の大きさが、固定型スクリーンに比べるとはるかに巨大であることが理解できよう。さらに図１３は大型スクリーン４１と反対側のサイドスタンドから見たサッカーワールドカップの開会式における巨大表示の概要を示す図である。なお図示の例はすべてスタジアムを何分割かして表示を行っているが、もちろん全体が一つの表示をなすようにすることも可能である。
【００５１】
図１４は、図１に示した本発明のシステム構成例を詳細に示すブロック図である。画像サーバにはＰＣサーバ１を用い、送信親機を構成するデータ送信装置２は、ＬＡＮ通信手段２ａ、制御手段２ｂ、無線送信手段２ｃ、画像蓄積手段２ｄというハードウェアとともに、ピクセル送信順序テーブル２ｅ、ピクセル位置変換テーブル２ｆを含む。これらテーブルは、ＲＯＭ等に書き込んで保持するものであっても、ＰＣサーバ１からのデータにより適時ソフトウェア的に構成するものであってもいずれでも良い。
【００５２】
発光モジュールである表示子機３・・・、すなわちＬＥＤ表示装置は、無線送受信手段３ａ、制御手段３ｂ、ＬＥＤ表示手段３ｃ、位置ＩＤ記録手段３ｄ、受信データ記憶手段３ｅから構成してある。各手段は図６の例で示した基板３２上に搭載され、ＬＥＤ表示手段３ｃはＬＥＤ３３ａ〜３３ｃに相当する。そして、それぞれのＬＥＤ表示装置３の位置ＩＤは予め記録させておく。これは、プログラムで決定しても、有線あるいは無線を問わず、専用書き込みツールを作って書き込み設定してもかまわない。
【００５３】
図１５は、図３で示した送信親機であるデータ送信装置２から表示子機であるＬＥＤ表示装置３へ送信する表示のための送信データとする画像ファイルのファイル構造を示す図である。画像ファイルは、図示のように画像データ、情報ヘッダ、ファイルヘッダから構成する（図１５Ａ）。図１５（Ｂ）は、この画像データを詳細に示している。画像データが例えば（ｍ＋１）ピクセルｘ（ｎ＋１）ピクセルのものとすると、１ピクセルは図１５（Ｃ）のように３バイト（２４ビット）で表現される。なおピクセルデータは表示とは反対に並べる必要があり、表示内容としては図１５（Ｄ）のようになる。
【００５４】
図１６は、ピクセル送信順序テーブル２ｅを示す図である。ピクセル送信順序が横方向の場合は、図１６（Ａ）に示すように、横列方向のピクセルの走査が順次上方のピクセル列の走査へと向かっていくものになる。走査順とピクセルデータの関係を図１６（Ｂ）に矢印で示す。また縦方向の場合には、図１６（Ｃ）に示すように、縦列方向のピクセルの走査が順次右方のピクセル列の走査へと向かっていくものになる。走査順とピクセルデータの関係を図１６（Ｄ）に示す。
【００５５】
図１７（Ａ）〜（Ｃ）は、ピクセル位置変換テーブル２ｆの内容を示す図である。このテーブルは、図１７（Ｂ）に示す標準座標を利用して、ユニークな位置ＩＤを持つそれぞれのＬＥＤ表示装置３を自由に並べたときに、データの並びが決まっている画像ピクセルデータを、どの位置ＩＤの表示装置に送ればいいかの対応（図１７（Ｃ）参照）を決めるためのテーブルである。このテーブルを使うことで、多数のＬＥＤ表示装置３の並べ方に制約がなくなるとともに、ＬＥＤ表示装置３が故障などして交換する際にも、このテーブルの変更のみで対応でき、ＬＥＤ表示装置３側での再設定が不要となる。
【００５６】
図１８は、図３（Ｂ）に示したピクセルデータについてさらに詳細に説明するための図である。全体では６バイトのデータであり、８ビットのデータである画像ＩＤは、各ＬＥＤ表示装置が、受信済みデータかどうかを判断するための画像固有のＩＤである。但し、ＬＥＤ表示装置３が備えるメモリの記憶容量により、いわゆる使い回しが可能になる。また０ｘ０１〜０ｘｆｆまで２５５画像を区別できるが、画像ファイルのヘッダ情報から一意に決めても連番で決めてもいずれでも良い。図３（Ｂ）のポジションＩＤに相当する位置ＩＤは、８＋８ビット（Ｘ方向位置データ：８ビット（０ｘ０１〜０ｘｆｆ）、Ｙ方向位置データ：８ビット（０ｘ０１〜０ｘｆｆ））のデータであり、ＬＥＤ表示装置３のユニークな識別情報として８ビット２次元の定義を行う。それぞれ２５５通り（０ｘ０１〜０ｘｆｆ）の設定が可能なことから、全体では６４５１６個の表示装置を指定できることになる。ただし、使用するＬＥＤ表示装置３の位置ＩＤと一致させておく必要がある。またピクセルデータ（Ｒ、Ｇ、Ｂ）は８＋８＋８ビットのデータ（Ｒ：８ビット（０ｘ００〜０ｘｆｆ）、Ｇ：８ビット（０ｘ００〜０ｘｆｆ）、Ｂ：８ビット（０ｘ００〜０ｘｆｆ））であり、標準的にＰＣ等で利用されているビットマップデータのピクセルデータであり、非圧縮の１色８ビット、３色２４ビットのデータとし得る。
【００５７】
図１９は、データ送信装置２の動作フローチャートを示す図である。まず送信指示（ステップ１）において画像ファイルを指定し、画像ＩＤの決定（ステップ２）、ピクセル送信順序チェック→方向決定（ステップ３）、ピクセル位置変換テーブルチェック→ＬＥＤ表示装置位置ＩＤ決定（ステップ４）、１ピクセルデータ分送信（ステップ５）と進み、全ピクセルの送信が完了したか否かを判断し（ステップ６）、完了していなければ次のピクセルを指定し（ステップ７）、ステップ４へ戻り、完了していれば送信指示待ちへと移行する（ステップ８）。
【００５８】
図２０は、ＬＥＤ表示装置３の動作フローチャートである。データ送信装置２からデータを受信すると（ステップ１）、受信データを受信データ記憶手段３ｅに格納し（ステップ２）、画像ＩＤ判定を行い（ステップ３）、前回画像ＩＤと同じでなければ（ステップ４でＮＯ）、位置ＩＤをチェックし（ステップ５）、自位置ＩＤと同じであれば（ステップ６でＹＥＳ）、ピクセルデータをＬＥＤ表示に反映し（ステップ７）、次のデータ受信待ち（ステップ８）となる。ステップ４において受信したデータが前回画像ＩＤと同じであれば（ステップ４でＹＥＳ）、次のデータ受信待ちとなり（ステップ８）、またステップ６で自位置ＩＤと同じでないと判断すれば（ステップ６でＮＯ）、受信データをそのまま転送送信し（ステップ９）、次のデータ受信待ちとなる（ステップ８）。
【００５９】
図２１は、図２０で示した動作を具体例として示すための図である。なお図２１の数値表示はすべて１６進表現である。この図２１の例は、データ送信装置２から以下のデータを送信した場合におけるＬＥＤ表示装置３の動作を示すものである。すなわちデータ送信装置２の送信データを、
（１）０１１１１０ＦＦ００００
画像ＩＤ  ０１
位置ＩＤ  １１，１０
ピクセルデータ  赤
（２）０１１２１１００ＦＦ００
画像ＩＤ  ０１
位置ＩＤ  １２，１１
ピクセルデータ  緑
（３）０１１３１２００００ＦＦ
画像ＩＤ  ０１
位置ＩＤ  １３，１２
ピクセルデータ  青
（４）０１１４１３ＦＦＦＦＦＦ
画像ＩＤ  ０１
位置ＩＤ  １４，１３
ピクセルデータ  白
とし、この順で送信するものとする。なおＬＥＤ表示装置３の動作条件として、無線送受信手段３ａからの無線送信信号は、隣のＬＥＤ表示装置３までしか届かないとした場合である。そのため無線送信信号の到達距離は１、２ｍとするが、この値は用途に応じて、例えば５ｍ、１０ｍ、１００ｍ等々種々に設定すればよい。
【００６０】
以下の動作説明を行うが、ＬＥＤ表示装置３は位置ＩＤで表現する。
データ送信装置２からの送信データは、まずＬＥＤ表示装置（１０，１０）が受信する。
（１）ＬＥＤ表示装置（１０，１０）がデータ“０１１１１０ＦＦ００００”を受信すると、自分の位置ＩＤではないため受信データを隣り合うＬＥＤ表示装置（１１，１０）及び（１０，１１）へ転送する。
（２）ＬＥＤ表示装置（１１，１０）、（１０，１１）がそれぞれデータ“０１１１１０ＦＦ００００”を受信すると、ＬＥＤ表示装置（１１，１０）は自分宛のデータと判断してピクセルデータを表示処理し、赤色のＬＥＤを発光させる（図では丸の内部に文字で発光色を示してある）。一方、ＬＥＤ表示装置（１０，１１）は、自分の位置ＩＤではないためにデータを再転送する。
（３）ＬＥＤ表示装置（１０，１０）は、次のデータ“０１１２１１００ＦＦ００”と、戻ってきたデータ“０１１１１０ＦＦ００００”の２つを受信するが、戻ってきたデータは当然自分の位置ＩＤではないため無視するものとしてあり、新しいデータが自分宛かどうかを判断し、この例の場合には自分宛のデータではないためを転送する。
（４）データ“０１１２１１００ＦＦ００”はＬＥＤ表示装置（１０，１０）→（１１，１０）→（１２，１０）→（１２，１１）のルート他いくつかのルートを通ってＬＥＤ表示装置（１２，１１）に届き、ピクセルデータの表示処理が行われる（この場合は緑色のＬＥＤを発光させる）。
（５）そして３番目、４番目のデータも、同様に判断、転送され、最終的に指定の４つのＬＥＤ表示が行われ、全体の動作は停止する。
【００６１】
すなわち表示子機であるＬＥＤ表示装置３の台数はシステム構成によるが、すべてのＬＥＤ表示装置３にユニークな位置ＩＤを割り振り、送信親機であるデータ送信装置２から位置ＩＤに対応するＲＢＧデータを無線送信することで、画像表示を実現する。
【００６２】
そして、例えば１１万人の観客全てに配布されるサンバイザーキャップ前面の額部分に取り付けたＬＥＤ表示装置３が備えるＬＥＤの発光、消灯をセンタからのコントロールで制御することで、一人一人の観客によりスタジアム全体が画面化してしまい、巨大な画像を現出させ得るシステムとなる。
【００６３】
なお上述のような発光ユニット、これを用いた画像現出方法、画像現出サーバシステムの用途としては、図示し、説明してきたスタジアムでの表示だけでなく、また表示に使用する場所の広狭にかかわらず、種々の形態、用途で採用可能である。また図示の例では表示装置の取り付けをサンバイザーキャップにした場合のみ説明しているが、本発明がこれに限定されず、衣服等や、人の身体自体に直接に取り付けるものであったりしてもよいことはもちろんである。
【図面の簡単な説明】
【００６４】
【図１】本発明のシステム構成例を示す図
【図２】画像データのインタフェース（画像データを持つ画像サーバから送信親機へのデータの引渡し方法）の構成例を示す図
【図３】一つの送信親機から複数の表示子機への送信データの構成内容例を示す図
【図４】発光モジュールである表示子機の構成例を示す図
【図５】送信親機の構成例を示す図
【図６】発光ユニットの一実施例を示す図
【図７】発光ユニットの一実施例の発光状態を示す斜視図
【図８】図６に示した発光ユニットをサンバイザーキャップに組み合わせた構成例を示す図
【図９】発光ユニットをサンバイザーキャップに組み合わせた構成例の側面図（Ａ）、正面図（Ｂ）、平面図（Ｃ）
【図１０】発光ユニットのスタジアム等での配置形態を示す図（Ａ）とスタジアムの一例を示す平面図（Ｂ）
【図１１】スタジアムの正面スタンド側からバックスタンド側を見た巨大表示の概要を示す図
【図１２】メインスタンドとサイドスタンドとの間付近から見たバックスタンドの巨大表示の概要を示す図
【図１３】大型スクリーンと反対側のサイドスタンドから見た巨大表示の概要を示す図
【図１４】図１に示した本発明のシステム構成例を詳細に示すブロック図
【図１５】データ送信装置からＬＥＤ表示装置へ送信する表示のための送信データとする画像ファイルのファイル構造を示す図
【図１６】ピクセル送信順序テーブルを示す図
【図１７】ピクセル位置変換テーブルの内容を示す図
【図１８】図３（Ｂ）に示したピクセルデータについてさらに詳細に説明するための図
【図１９】データ送信装置の動作フローチャートを示す図
【図２０】ＬＥＤ表示装置３の動作フローチャートを示す図
【図２１】図２０で示した動作を具体例として示すための図
【符号の説明】
【００６５】
１：画像サーバ
２：送信親機
２ａ：ＬＡＮ通信手段
２ｂ：制御手段
２ｃ：無線送信手段
２ｄ：画像蓄積手段
２ｅ：ピクセル送信順序テーブル
２ｆ：ピクセル位置変換テーブル
３：表示子機
３ａ：無線送受信手段
３ｂ：制御手段
３ｃ：ＬＥＤ表示手段
３ｄ：位置ＩＤ記録手段
３ｅ：受信データ記憶手段
１１：無線ＩＣ
１２：制御ＣＰＵ
１３：ＬＥＤドライバ回路
１４：３色ＬＥＤ
１５：電源回路
１６：バッテリ
１７：振動子
２１：無線ＩＣ
２２：制御ＣＰＵ
２３：電源回路（ＡＣアダプタ）
２４：外部メモリ
２５：デバッグコンソール
２６：ＬＡＮ端子
２７：フック
３０：発光ユニット
３１：カバー
３２：基板
３３ａ〜３３ｃ：高輝度ＬＥＤ発光素子（ＬＥＤ）
３４：サンバイザーキャップ
３５：観客
４１：大型スクリーン
【図１】
2008242253.tif 000003
【図２】
2008242253.tif 000004
【図３】
2008242253.tif 000005
【図４】
2008242253.tif 000006
【図５】
2008242253.tif 000007
【図６】
2008242253.tif 000008
【図７】
2008242253.tif 000009
【図８】
2008242253.tif 000010
【図９】
2008242253.tif 000011
【図１０】
2008242253.tif 000012
【図１１】
2008242253.tif 000013
【図１２】
2008242253.tif 000014
【図１３】
2008242253.tif 000015
【図１４】
2008242253.tif 000016
【図１５】
2008242253.tif 000017
【図１６】
2008242253.tif 000018
【図１７】
2008242253.tif 000019
【図１８】
2008242253.tif 000020
【図１９】
2008242253.tif 000021
【図２０】
2008242253.tif 000022
【図２１】
2008242253.tif 000023